(57)【特許請求の範囲】
【請求項１】
加煙試験機において、ヒータと、このヒータの電源となる充電自在な蓄電池と、前記ヒータの加熱により気化しその後気流中で冷却されることにより霧化する水溶性液体と、前記ヒータ及び前記水溶性液体を内部に保持させる筒体とを有し、この筒体の先端から煙を放出させる発煙体と、
操作して往復運動又は回転運動させるレバーを有し、このレバーの運動により、前記発煙体に向って気流を発生させるポンプと、
前記レバーの往復運動又は回転運動に連動して発電する発電機とを備え、
前記発電機により生じた電力が前記蓄電池に充電され、
前記ポンプにより発生する前記気流が所定の風圧に達したことを検出し、この検出結果
に基づき前記蓄電池と前記ヒータとの通電を制御する気流検知部が具備されていることを特徴とする加煙試験機。
【請求項２】
加煙試験機において、ヒータと、このヒータの電源となる充電自在な蓄電池と、前記ヒータの加熱により気化しその後気流中で冷却されることにより霧化する水溶性液体と、前記ヒータ及び前記水溶性液体を内部に保持させる筒体とを有し、この筒体の先端から煙を放出させる発煙体と、
操作して往復運動又は回転運動させるレバーを有し、このレバーの運動により、前記発煙体に向って気流を発生させるポンプと、
前記レバーの往復運動又は回転運動に連動して発電する発電機とを備え、
前記発電機により生じた電力が前記蓄電池に充電され、
前記ヒータと前記蓄電池との間には、電気的接続を強制的に切断するスイッチが設けられていることを特徴とする加煙試験機。
【請求項３】
前記ポンプと前記発煙体との間には、前記ポンプにより発生する前記気流の風圧を調整する調圧部が設けられていることを特徴とする請求項１又は請求項２に記載の加煙試験機。
【発明の詳細な説明】
【技術分野】
【０００１】
本発明は、煙感知器の動作試験に用いられる加煙試験機に関する。
【背景技術】
【０００２】
従来より、オフィスや住宅等の建物内において火災が発生した場合に、火災により発生した煙を検知して警報等により注意を喚起し、可及的速やかに消火、避難、消防活動を行うことができるよう、建物内の天井等に煙感知器が設置されている。この煙感知器は、的確に動作し得るかを建物への設置後定期的に点検することが求められており、煙感知器の動作試験に用いられる加煙試験機としては、下記特許文献１，２に示すような油煙又はガスボンベを用いたものが広く用いられている。
【０００３】
特許文献１に記載の加煙試験機は、試験油を貯蓄する油貯蓄部と、油貯蓄部の試験油を燃焼させないように加熱する電気ヒータと、発生した油煙を煙感知器に誘導するカバーと、カバーの底部に取り付けた支持棒とを備えて構成されている。
そして、煙感知器の動作試験を行う場合には、支持棒を把持して天井に設置された煙感知器にカバーをかぶせ、電気ヒータに加温して油貯蓄部を低温加熱し、油を燃焼させずに熱分解して霧状の油煙として煙感知器に送る。
また、特許文献２に記載の加煙試験機は、油貯蓄部の代わりに微粒子ガス体の原料物質を充填したガスボンベを備え、このガスボンベから、その充填圧力により霧化されて噴射されるガス体を擬似煙として煙感知器に検知させるようになっている。
【先行技術文献】
【特許文献】
【０００４】
【特許文献１】特開平６−３０９５７７号公報
【特許文献２】特開平８−７７４７２号公報
【発明の概要】
【発明が解決しようとする課題】
【０００５】
ところで、上記特許文献１及び上記特許文献２に記載の加煙試験機においては、ヒータを加熱する等のために電気が用いられており、その電源として蓄電池等が用いられている。蓄電池は、供給できる電気の残量がわずかになった際に、発煙体から十分に煙を送出できなくなっていることがあるが、多くの場合、残量が可視化されていないため、直ちにその状態が分からないことが多い。したがって、煙感知器の試験現場において、予期せず加煙試験機が使えなくなったり、試験時に現場で電池の取替え作業を行わなければならなくなったりするおそれがあるという問題があった。
また、蓄電池の大まかな残量が分かるものであっても、残量の減りがある場合には、逐一蓄電池を交換したり、蓄電池が充電可能型のものである場合には、蓄電池を取り出して充電したりしなければならず、その作業が煩雑であるという問題があった。
そこで、本発明は、加煙試験機の駆動により、発煙させると同時にこの加煙試験機に備えられた蓄電池への充電が可能な加煙試験機を提供することを課題とする。
【課題を解決するための手段】
【０００６】
請求項１の発明は、加煙試験機において、ヒータと、このヒータの電源となる充電自在な蓄電池と、前記ヒータの加熱により気化しその後気流中で冷却されることにより霧化する水溶性液体と、前記ヒータ及び前記水溶性液体を内部に保持させる筒体とを有し、この筒体の先端から煙を放出させる発煙体と、操作して往復運動又は回転運動させるレバーを有し、このレバーの運動により前記発煙体に向って気流を発生させるポンプと、前記レバーの往復運動又は回転運動に連動して発電する発電機とを備え、前記発電機により生じた電力が前記蓄電池に充電され、前記ポンプにより発生する前記気流が所定の風圧に達したことを検出し、この検出結果に基づき前記蓄電池と前記ヒータとの通電を制御する気流検知部が具備されていることを特徴とする。
本発明では、レバーの往復運動又は回転運動に伴ってポンプを駆動して気流を発生させる作業において、蓄電池へ充電することができる。
また、本発明では、例えば、ポンプにより所定の風圧に達した気流が発生した場合に、気流検知部の制御により、これに連動するようにヒータが通電されて加熱される。したがって、ヒータに熱せられて気化した水溶性液体を直ちに霧化することができる。また、気化した水溶性液体を霧化するのに十分な気流が発生していない状態でヒータが加熱され水溶性液体が気化することが防止される。
請求項２の発明は、加煙試験機において、ヒータと、このヒータの電源となる充電自在な蓄電池と、前記ヒータの加熱により気化しその後気流中で冷却されることにより霧化する水溶性液体と、前記ヒータ及び前記水溶性液体を内部に保持させる筒体とを有し、この筒体の先端から煙を放出させる発煙体と、操作して往復運動又は回転運動させるレバーを有し、このレバーの運動により前記発煙体に向って気流を発生させるポンプと、前記レバーの往復運動又は回転運動に連動して発電する発電機とを備え、前記発電機により生じた電力が前記蓄電池に充電され、前記ヒータと前記蓄電池との間には、電気的接続を強制的に切断するスイッチが設けられていることを特徴とする。
本発明では、レバーの往復運動又は回転運動に伴ってポンプを駆動して気流を発生させる作業において、蓄電池へ充電することができる。
また、本発明では、使用者の操作によりヒータへの通電を遮断するスイッチが設けられているため、ポンプの駆動により蓄電池への充電作業のみを行うことが可能となる。
請求項３の発明は、前記ポンプと前記発煙体との間には、前記ポンプにより発生する前記気流の風圧を調整する調圧部が設けられていることを特徴とする。
本発明では、ポンプにより発生する気流の風圧を調節することで、気化した水溶性液体を霧化させる度合いを適宜調節することが可能となる。
【発明の効果】
【０００７】
本発明によれば、ポンプのレバーを駆動して気流を発生させる作業において、蓄電池へ充電することができるため、加煙試験機の使用時における不測の電池切れを回避することができるとともに、蓄電池の交換頻度を抑えて加煙試験機を好適に使用することができるという効果を奏する。
【図面の簡単な説明】
【０００８】
【図１】は、本発明の第１の実施形態の加煙試験機を一部省略して示した断面図である。
【図２】は、本発明の第１の実施形態の加煙試験機の一部を示した断面図である。
【図３】は、本発明の第１の実施形態の加煙試験機の動作状態を示した断面図である。
【図４】は、本発明の第１の実施形態の加煙試験機の動作状態を示した断面図である。
【図５】は、本発明の第１の実施形態の加煙試験機の変形例の一部を拡大して示した断面図である。
【図６】は、本発明の第２の実施形態の加煙試験機を一部省略して示した断面図である。
【発明を実施するための形態】
【０００９】
以下、図を参照して本発明の加煙試験機の実施形態について説明する。
図１に示すように、本発明の第１の実施形態の加煙試験機１Ａは、発煙体２と、発煙体２を覆う着脱自在なカバー３と、発煙体２及びカバー３を支持する支持棒４と、発煙体２を操作する操作部５とを備えている。
【００１０】
図２に示すように、発煙体２は、筒体６と、該筒体６内に配置されたヒータ７と、ヒータ７の近傍に備えられ、該ヒータ７の熱により気化する水溶性液体を保持する液体保持部８と、ヒータ７に電力を供給する電源となる蓄電池９とを備えている。
筒体６は、両端が開口した断面円形の筒状に形成され、一端側に煙の放出口６ａが形成されている。筒体６の断面形状、直径及び長手方向の寸法は特に限定されない。
【００１１】
ヒータ７は、ニクロム線、白金線等の金属線を用いて筒体６よりも小径のコイル状に形成されており、筒体６と軸線Ｌ１を略一致させて長手方向に配置されている。ヒータ７の一端部７ａは筒体６の底部に固定されたヒータ用コネクタＣの端子に接続されており、同他端部７ｂはコイルの終端（先端）で折り返されてヒータ用コネクタＣに向けて直線状に延び、一端部７ａと同様にコネクタＣの他の端子に接続され、コネクタＣを介して蓄電池９及び後述する気流検知センサ１４（図１参照）に接続されている。気流検知センサ１４は、図示しない制御手段と共に気流検知部を構成する。
【００１２】
コイル状のヒータ７の内側及び外側には、液体保持部８として例えばガラス繊維等の繊維系不燃性フィルタ又は発泡樹脂製の不燃性フィルタが配されている。液体保持部８のフィルタには、その表面のあらゆる方向に向かって通気可能に開口した多数の空隙孔が内部に形成されており、この空隙孔内に発煙剤となる水溶性液体を保持可能となっている。液体保持部８は、内部に水溶性液体を含浸した状態でヒータ７に沿って、すなわちヒータ７に当接し又は近接配置されて発煙剤をヒータ７に供給してヒータ７の熱によって気化できるようになっている。
【００１３】
水溶性液体の成分としては、親水性を有し保水性が高い成分、例えば、グリセリン、プロピレングリコール等の成分のうち少なくとも一の成分を含む、人体に無害な水溶性液体が用いられる。なお、水溶性液体は、保湿性が高く常温で揮発しにくい成分であることが好ましく、更に煙感知器Ｋ及び建物の天井材Ｗ（図１参照）を変質させにくい成分であることが好ましい。
上記の構成を備えた発煙体２は、支持棒４の先端に取り付けられており、後に詳述するように、操作部５を操作することによって煙を放出することができるようになっている。
【００１４】
図１に示すように、カバー３は、天井材Ｗ等に設置された煙感知器Ｋを覆い、発煙体２から放出された煙を内部に充満させる合成樹脂製材料等により形成された部材であり、テーパ部３ａと、テーパ部３ａに連設された筒状部３ｂとを備えている。
テーパ部３ａの一端側は、封止部材３５を介して支持棒４の先端部を挿入配置させた状態で、必要に応じてこの先端部に着脱できるように支持棒４に固定されている。筒状部３ｂは、一部が蛇腹状になっており、これによりカバー３は、軸線Ｌ１方向に所定の伸縮性を有している。
【００１５】
上記構成の下に、カバー３は、試験対象の煙感知器Ｋ近傍に空調機等による外因性の気流が存在する場合に、この気流を遮断して擬似煙Ｓを確実に煙感知器Ｋに到達させ、安定して確実に試験できるように設けられており、このような気流が存在しない場合には取り外すことができるようになっている。
【００１６】
支持棒４は、中空形状の棒部材であり、使用者がカバー３上端部を下方から天井材Ｗに押し当てることが出来るよう所定の長さ寸法を有している。
支持棒４の先端部には、発煙体２及びカバー３が固定され、基端部には操作部５が連設されている。
支持棒４の内部は、空気を流動させるとともに配線を挿通させることができる中空孔４ａとされている。
【００１７】
また、支持棒４は、中空の棒状部材がスライド可能に複数連結された構造を有しており、内部の通気を維持しつつ、必要に応じ支持棒４の全体長さを伸縮できるように構成されている。試験時には棒状部材をスライドさせて支持棒４の全体長さを調節し、棒状部材同士の連結部を固定してこの長さを保持して使用する。
【００１８】
操作部５には、発煙体２に向かって気流を発生させ、ヒータ７の熱により気化した水溶性液体を霧化して疑似煙（エアロゾル）Ｓとするポンプ１０と、ポンプ１０に具備されたレバー１１の動作に連動するピニオン１２と、ピニオン１２の回転により駆動されて発電する発電機１３と、ポンプ１０による気流発生の有無を検知する気流検知センサ１４と、ポンプ１０、ピニオン１２、発電機１３、及び気流検知センサ１４を保持するハウジング１５が備えられている。
【００１９】
ポンプ１０は、空気を収容する収容部１６と、収容部１６内に配置され、空気を圧縮し又は引き込むレバー１１と、レバー１１を一方向に付勢させるバネ２０と、吸気用及び排気用ボール逆止弁２１Ａ，２２Ａとを備えている。
収容部１６は、ハウジング１５の一部により円筒形状に形成され、軸線Ｌ２方向の一端側にレバー１１を挿通させる開口部１６ａを有し他端側にバネ２０を挿通させる開口部１６ｂを有している。
【００２０】
レバー１１は、収容部１６の径よりも僅かに小径の円板形状をなし、収容部１６内を封止して空気を圧縮可能な封止部２３と、封止部２３の一方の板面の中心から収容部１６の一端側開口部１６ａを通って収容部１６外に突出している軸部２４と、軸部２４の先端に設けられ、軸部２４を介して封止部２３を往復運動させる押圧部２５とを備えている。  
【００２１】
円板形状の封止部２３の周面には、パッキン２６が嵌合され、封止部２３を介して収容部１６内を気密に二分している。バネ２０は、軸部２４が設けられた板面と反対側の封止部２３の板面に設置され、封止部２３を一端側開口部１６ａに向けて付勢させている。
【００２２】
押圧部２５は、軸部２４を中心として互いに離間する方向に延びるよう棒形状に形成されたものであり、使用者が指を掛けて他端側開口部１６ｂに向けて押圧できるようになっている。
押圧部２５の一端部には、ラックアンドピニオン機構のラック２７が、押圧部２５の軸線Ｌ２方向に平行に設けられ、レバー１１の動きに連動してピニオン１２を回転させるようになっている。
【００２３】
発電機１３は、ピニオン１２の回転により発電できるものであれば特に限定されないが、例えば、ピニオン１２の回転軸Ｐに不図示のマグネットを固定し、周囲に配設したコイル（不図示）により起電力を発生させるものである。この発電機１３は、配線２８Ａ，２８Ｂを介して発煙体２内に設けられた蓄電池９に接続され、起電流が蓄電池９に充電されるようになっている。
なお、ピニオン１２と発電機１３との間には、不図示のワンウェイクラッチが介装されており、レバー１１を他端側開口部１６ｂに向けて押圧した際のピニオン１２の一方向の回転のみが発電機１３に伝えられるようになっている。
【００２４】
気流検知センサ１４は、流路Ｒ内に設けられており、ポンプ１０により排出された気体の風圧を測定し、その結果が所定の値以上である場合に、図示しない制御手段へ信号を出力し、これを受けた制御手段は蓄電池９と図２に示すヒータ７とを電気的に接続するようになっている。言い換えると、気流検知センサ１４は、一定の気流を検知しなかった場合にはヒータ７への電流を制限或いは遮断するようにして、加熱しないようになっている。この構成の下に、気流検知センサ１４は、気流がないにも関わらずヒータ７が加熱されて温度が異常に上昇することを回避し、気流を検知したときのみ所定の電流でヒータ７を加熱できるようになっている。
【００２５】
ハウジング１５には、支持棒４に連通する気体の流路Ｒとこの流路Ｒに連通する収容部１６が形成されているとともに、ポンプ１０、ピニオン１２、発電機１３及び気流検知センサ１４を保持する保持部１７を備えている。
流路Ｒは、一端側が空気を吸い込む開口部Ｒ１とされ、他端側開口部Ｒ２が支持棒４の中空孔４ａに連通されており、空気を一端側開口部Ｒ１側から他端側開口部Ｒ２に一方向に流動させるようになっている。
【００２６】
ポンプ１０に対して流路Ｒの一端側開口部Ｒ１寄りには、空気の収容部１６内への流入のみを許す吸気用ボール逆止弁２１Ａと弁座２１Ｂとが設けられている。
また、ポンプ１０に対して流路Ｒの他端側開口部Ｒ２寄りには、空気の収容部１６からの排出のみを許す排気用ボール逆止弁２２Ａと弁座２２Ｂとが設けられている。
【００２７】
これらの吸気用ボール逆止弁２１Ａ、弁座２１Ｂと、排気用ボール逆止弁２２Ａ、弁座２２Ｂとは、収容部１６を間に挟んで設けられている。
なお、吸気用ボール逆止弁２１Ａ及び排気用ボール逆止弁２２Ａのそれぞれには、バネ等の付勢手段が備えられ、それぞれの弁座２１Ｂ，２２Ｂに向かって緩やかに付勢している。
【００２８】
吸気用ボール逆止弁２１Ａと排気用ボール逆止弁２２Ａとに挟まれた流路Ｒ３は、ポンプ１０の収容部１６と他端側開口部１６ｂにおいて連通している。そして、ポンプ１０の駆動により、排気用ボール逆止弁２２Ａが閉弁した状態で吸気用ボール逆止弁２１Ａが開弁してポンプ１０内に吸気し、吸気用ボール逆止弁２１Ａが閉弁した状態で排気用ボール逆止弁２２Ａが開弁してポンプ１０内の空気を支持棒４の中空孔４ａに向けて圧送できるようになっている。
【００２９】
本発明の加煙試験機１Ａによって試験する煙感知器Ｋは、検出原理として散乱光式を採用した煙感知器である。
【００３０】
次に、加煙試験機１Ａの使用方法について説明する。
図１に示すように、加煙試験機１Ａにより煙感知器Ｋの動作試験を行うには、発煙体２の先端を煙感知器Ｋが設置された例えば天井材Ｗに向け、カバー３を煙感知器Ｋに被せてカバー３の周端縁を天井材Ｗに密着させる。
【００３１】
この状態でポンプ１０のレバー１１を引くと、図３に示すように、封止部２３がバネ２０の付勢方向と反対のＹ１の向きに移動し、バネ２０を弾性変形させつつ、収容部１６内の空気を圧縮するため、この空気の圧により、吸気用ボール逆止弁２１Ａ及び排気用ボール逆止弁２２Ａを流路Ｒ３において互いに離間する矢印Ｘ１，Ｘ２の向きに押し出す。すなわち、吸気用ボール逆止弁２１Ａは、弁座２１Ｂに着座して流路Ｒ３を閉じ、排気用ボール逆止弁２２Ａは、空気に押されて弁座２２Ｂから離れ、流路Ｒ３を開いて圧縮された空気を排気する。
【００３２】
この際、ポンプ１０により生じた気流が流路Ｒ内に設置された気流検知センサ１４により検知されると、制御手段の制御によって、図２に示すようにコネクタＣを介して蓄電池９からヒータ７への給電が開始されて該ヒータ７が加熱される。このヒータ７の加熱により液体保持部８のフィルタに含浸された発煙剤である水溶性液体が気化し、更に図１に示すポンプ１０により吹き込まれた空気（気流）によって気化した水溶性液体が冷却されて霧化するとともに、筒体６の先端へ向かって流動し、筒体６の放出口６ａから水溶性液体が霧化した擬似煙（エアロゾル）Ｓが放出される。
【００３３】
擬似煙Ｓがカバー３内に充満した際、煙感知器Ｋが正常に作動可能であれば、擬似煙Ｓに煙感知器Ｋが反応し、煙感知器Ｋ或いはこれを接続している防災受信機が警告音を発し及び／又は警告ランプを点灯するので、煙感知器Ｋが正常に作動することを確認することができる。一方、煙感知器Ｋに不具合がある場合には、煙感知器Ｋは擬似煙Ｓに反応せず、警報音を発せず及び／又は警告ランプを点灯しないので、煙感知器Ｋに不具合があることを確認することができる。
【００３４】
また、図１，図３に示すように、ポンプ１０のレバー１１を引く（矢印Ｙ１の向きに押圧操作する）ことにより、上述したとおり、擬似煙Ｓを発生させると同時に、押圧部２５に設けられたラック２７がピニオン１２を回転させる。そして、このピニオン１２の回転軸Ｐが回転することにより発電機１３が起電流を生じさせる。そして、発電機１３で発生した電流が蓄電池９に充電される。
【００３５】
その後、ポンプ１０のレバー１１の押圧を開放すると、図４に示すように、ポンプ１０内のバネ２０が弾性復帰して封止部２３が一端側開口部１６ａに向かって矢印Ｙ２の向きに引き戻される。
この際、収容部１６内の空気は僅かとなり負圧状態になっているため、排気用ボール逆止弁２２Ａは、封止部２３の移動に伴って弁座２２Ｂに向かって引き寄せられ着座し、閉弁される。そして、吸気用ボール逆止弁２１Ａは、付勢手段の付勢力に抗して弁座２１Ｂから離間する向きに引き寄せられ、流路Ｒ３を開口させて空気を引き込む。
【００３６】
そして、収容部１６内に空気が充満し大気圧状態となり、封止部２３が一端側開口部１６ａに向かって付勢されたときに、図１に示すように、吸気用ボール逆止弁２１Ａは、この吸気用ボール逆止弁２１Ａに設けられた付勢手段の弾性復帰力により再び弁座２１Ｂに緩やかに付勢して閉弁する。一方、排気用ボール逆止弁２２Ａは、そのまま弁座２２Ｂに付勢する。
このとき、レバー１１がバネ２０の弾性復帰力により矢印Ｙ２の向きに移動すると、ラック２７の移動によりピニオン１２がレバー１１を引いた場合と逆の回転をする。しかし、ピニオン１２と発電機１３との間には不図示のワンウェイクラッチが介装されているため、ピニオン１２の逆回転により発電機１３が連動することはない。もちろん、これに限らず、他の構成により逆回転時にも発電機１３を連動動作させて蓄電池９への充電を可能としてよい。
【００３７】
以上のように、図１〜図３に示すように、加煙試験機１Ａの発煙体２によれば、ポンプ１０のレバー１１を引くことにより、空気を押し出して気流を発生させ、気流検知センサ１４をしてヒータ７を加熱させて水溶性液体を気化し、その後気流により冷却して霧化し擬似煙Ｓを発生させることができる。そして、擬似煙Ｓの発生と同時に、ポンプ１０のレバー１１の駆動によりラックアンドピニオン機構２７，１２を介して発電機１３を駆動し電流を発生させて蓄電池９に充電することができる。
【００３８】
すなわち、レバー１１を引くという一つの動作によって、気流を発生させるとともにヒータ７を加熱し、発煙体２から擬似煙Ｓを放出させることができると同時に、ヒータ７を加熱するための電力を充電することができる。
したがって、加煙試験機１Ａの発煙体２に具備された蓄電池９の電力を使用しつつ充電するため、加煙試験のための使用に伴う蓄電池９の残量低下を抑制することができ、蓄電池９を取り外して充電する手間が省けるという効果が得られる。また、例えば、蓄電池９の充電忘れにより煙感知機Ｋを適切に試験することができないという不測の事態が生じるのを防止することができるという効果が得られる。
【００３９】
また、ポンプ１０により所定の風圧に達した気流が発生した場合に、これに連動するようにヒータ７が通電され、加熱される。したがって、ヒータ７に熱せられて気化した水溶性液体を直ちに霧化することができる。また、気化した水溶性液体を霧化するのに十分な気流が発生していない場合に、ヒータ７が加熱され水溶性液体が気化することが防止されるという効果が得られる。
【００４０】
また、煙感知器Ｋを試験的に動作させるための煙として水溶性液体を霧化した擬似煙Ｓを発生させるため、煙感知器Ｋや天井材Ｗに粘性のある油煙等を付着させて煙感知器Ｋ等を汚したり、更に塵埃類を付着させたりすることを回避して、煙感知器Ｋを好適に動作確認することができる。特に、水溶性液体はプロピレングリコール、グリセリン等の親水性を有するとともに保水性が高い成分を含んでおり、これらの成分がヒータにより水と共に蒸発し、噴出口にてこれらの成分が核となって霧化する。これらの成分は、保水性が高いことから、水のみが蒸発する場合と異なり、空気中で比較的長時間にわたり漂い、擬似煙としての役割を良好に果たすことができる。
【００４１】
一方、水溶性液体を用いた疑似煙Ｓは試験後間もなく環境中で蒸発するため、煙感知器Ｋに付着したままとなってその感度に影響を与えることを回避することができるという効果が得られる。
また、安価な成分の水溶性液体及び安価な樹脂製の部材を用いたシンプルな構造により発煙体２を製造することができるため、加煙試験機１Ａの製造コストを抑えることができる。
【００４２】
また、水溶性液体として無臭の成分もしくは匂いの少ない成分、又は人に好まれやすい匂いの成分を選択的に用いることができ、加煙試験機１Ａを病院その他、人がたくさん集まる場所でも加煙試験機１Ａを使用しやすいという効果が得られる。又は、人に不快感を与えない匂いを水溶性液体に付加した場合には、加煙試験機１Ａによる煙感知器Ｋの動作試験後に、煙の残存状態を認識することができる。
【００４３】
なお、上記の実施形態においては、吸気用ボール逆止弁２１Ａ及び弁座２１Ｂ並びに排気用ボール逆止弁２２Ａ及び弁座２２Ｂを用いてポンプ１０の吸気及び排気を行うようにしたが、空気を一方向にのみ流動させる手法としてはこれらに限られるものではない。すなわち、図５に示すように、ポンプ１０による空気の移動により開弁及び閉弁する円板形状の蓋体４１Ａ及び弁座４１Ｂ並びに蓋体４２Ａ及び４２Ｂからなるもの、その他の逆止弁であってもよい。
【００４４】
また、疑似煙Ｓの発生量等を常に煙感知器Ｋの試験に好適なものとするため、図１に示す操作部５には、流路Ｒ内を流通する気流の圧力（風圧）を一定に調圧する不図示の調圧部が設けられていてもよい。例えば、流路Ｒに公知の調圧弁を介挿することができる。これにより試験を行う際に流路Ｒ内を流れる気流の圧力が、気化された水溶性液体が好適に霧化される圧力に保たれ、常に試験に適した良好な疑似煙Ｓを得ることができる。
【００４５】
また、図２に示すヒータ７は、図１に示すポンプ１０により気流が発生し、この気流を気流検知センサ１４が検出することにより加熱される構成とされているが、操作部５には、ヒータ７と蓄電池９との間に、これらの電気的接続を気流検知センサ１４の検知結果とは無関係に、強制的に遮断して通電を止めるスイッチ（不図示）が設けられていてもよい。
かかるスイッチが設けられることにより、ポンプ１０の駆動により蓄電池９への充電作業のみを行うことが可能となる。また、このスイッチを操作して上記電気的接続を遮断しておくことによって、誤ってレバー１１を押圧してしまった場合に、発煙体２から不用意に煙を発生させることを防止することができるという効果が得られる。
【００４６】
次に、本発明の第２の実施形態について図６を用いて説明する。本実施形態において、第１の実施形態と同一の構成については同一の符号を付し、その説明を省略する。
本実施形態の加煙試験機１Ｂは、気流を発生させる手段として、ポンプ１０を用いるのではなく、回転ハンドル（レバー）４５を回すことにより羽根車４６を回転運動させ空気を流動させ、支持棒４の中空孔４ａ（図１参照）を通過して、発煙体２に向けて送風する手動回転式ブロア４７を用いている。
【００４７】
そして、手動回転式ブロア４７の回転軸４８には、不図示のはずみ車を介して発電機１３が連結されており、回転ハンドル４５の回転により発電機１３が電流を発電でき、発煙体２内に具備した蓄電池９に充電されるようになっている。
【００４８】
上機能構成を有する加煙試験機１Ｂについても、加煙試験機１Ａと同様に、発煙体２に対して簡便に気流を発生させて、ヒータ７を加熱するとともに、ヒータ７により気化された水溶性液体を霧化して擬似煙Ｓを放出することができる。
【００４９】
そして、擬似煙Ｓを発生させるのと同時に、回転ハンドル４５の回転により簡便に発電して蓄電池９に充電することができる。したがって、ヒータ７への加熱のために蓄電池９の電力を用いても同時に充電することができるため、蓄電池９を発煙体から取り外して充電するという手間を省くことができる。また、蓄電池９への充電忘れを防止していつでも適切に煙感知機Ｋを試験することができるという効果が得られる。
なお、本実施形態においても、先の実施形態同様に、ヒータ７と蓄電池９との間に、両者の電気的導通を遮断するスイッチを設けることができる。これによる効果も、先の実施形態同様である。
【符号の説明】
【００５０】
１Ａ，１Ｂ  加煙試験機
２      発煙体
６      筒体
９      蓄電池
１０    ポンプ
１１    レバー
１３    発電機
１４    気流検知センサ
４５    回転ハンドル（レバー）
Ｋ      煙感知器
Ｓ      擬似煙
【図１】
0005969824.tif 000002
【図２】
0005969824.tif 000003
【図３】
0005969824.tif 000004
【図４】
0005969824.tif 000005
【図５】
0005969824.tif 000006
【図６】
0005969824.tif 000007